(57)【要約】  制御用のインタフェースを追加することなく、出力画像の出力に使用される光源の、その出力画像と同期のとれた制御を実施することができる映像生成装置などを提供する。  本発明の一態様に係る映像生成装置２００Ｂは、出力画像に基づいて生成された、前記出力画像の出力に使用する光源を制御する制御信号を、当該制御信号を表す画像である制御画像に変換する変換部２１３と、前記出力画像を含む画像領域である第１の領域を含む画像の、前記第１の領域とは異なる第２の領域に、前記制御画像が組み込まれた合成画像を合成する合成部２１４と、前記合成画像を映像信号に変換する映像信号生成部２０１と、  前記映像信号を受信するのに応じて、受信した当該映像信号によって表される前記合成画像の前記第２の領域を前記制御画像として抽出し、抽出された前記制御画像を制御信号に変換する制御信号抽出部１０３と、受信した前記映像信号が表す前記画像の前記第１の領域の画像を、変換された前記制御信号に従って前記光源を制御しながら、前記出力画像として出力する出力部１１０と、を備える映像出力装置１００  に前記映像信号を送信する送信部２０２と、を備える。
2016092835.tif 000002
【特許請求の範囲】
【請求項１】
出力画像に基づいて生成された、前記出力画像の出力に使用する光源を制御する制御信号を、当該制御信号を表す画像である制御画像に変換する変換手段と、
前記出力画像を含む画像領域である第１の領域を含む画像の、前記第１の領域とは異なる第２の領域に、前記制御画像が組み込まれた合成画像を合成する合成手段と、
前記合成画像を映像信号に変換する映像信号生成手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する送信手段と、
を備える映像生成装置。
【請求項２】
前記出力画像に基づいて、前記制御信号を生成する制御信号生成手段
をさらに備える請求項１に記載の映像生成装置。
【請求項３】
前記出力手段は、受信した前記映像信号が表す前記画像の前記第１の領域の画像を、前記出力画像として表示デバイスに表示し、前記表示デバイスに表示されている前記出力画像を投射する光源を前記制御信号に従って制御することによって、前記出力画像を投射する
請求項１又は２に記載の映像生成装置。
【請求項４】
出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信する受信手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、
受信した前記映像信号が表す前記画像の前記第１の領域の画像を、変換された前記制御信号に従って前記光源を制御しながら、前記出力画像として出力する出力手段と、
を備える映像出力装置。
【請求項５】
出力画像に基づいて生成された、前記出力画像の出力に使用する光源を制御する制御信号を、当該制御信号を表す画像である制御画像に変換する変換手段と、
前記出力画像を含む画像領域である第１の領域を含む画像の、前記第１の領域とは異なる第２の領域に、前記制御画像が組み込まれた合成画像を合成する合成手段と、
前記合成画像を映像信号に変換する映像信号生成手段と、
前記映像信号を映像出力装置に送信する送信手段と、
を備える映像生成装置と、
前記映像信号を受信する受信手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、
受信した前記映像信号が表す前記画像の前記第１の領域の画像を、変換された前記制御信号に従って前記光源を制御しながら、前記出力画像として出力する出力手段と、
を備える前記映像出力装置と、
を含む映像出力システム。
【請求項６】
出力画像に基づいて生成された、前記出力画像の出力に使用する光源を制御する制御信号を、当該制御信号を表す画像である制御画像に変換し、
前記出力画像を含む画像領域である第１の領域を含む画像の、前記第１の領域とは異なる第２の領域に、前記制御画像が組み込まれた合成画像を合成し、
前記合成画像を映像信号に変換し、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する、
映像生成方法。
【請求項７】
出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信し、
前記映像信号を受信するのに応じて、受信した当該映像信号によって表される前記合成画像の前記第２の領域を前記制御画像として抽出し、抽出された前記制御画像を制御信号に変換し、
受信した前記映像信号が表す前記画像の前記第１の領域の画像を、変換された前記制御信号に従って前記光源を制御しながら、前記出力画像として出力する、
映像出力方法。
【請求項８】
映像生成装置に、
出力画像に基づいて生成された、前記出力画像の出力に使用する光源を制御する制御信号を、当該制御信号を表す画像である制御画像に変換し、
前記出力画像を含む画像領域である第１の領域を含む画像の、前記第１の領域とは異なる第２の領域に、前記制御画像が組み込まれた合成画像を合成し、
前記合成画像を映像信号に変換し、
映像出力装置に前記映像信号を送信する、
動作を行わせ、
前記映像出力装置に、
前記映像信号を受信し、
前記映像信号を受信するのに応じて、受信した当該合成画像の前記第２の領域から前記制御画像を抽出し、抽出された前記制御画像を制御信号に変換し、
受信した前記映像信号が表す前記画像の前記第１の領域の画像を、変換された前記制御信号に従って前記光源を制御しながら、前記出力画像として出力する、
動作を行わせる、
映像出力システム制御方法。
【請求項９】
コンピュータを、
出力画像に基づいて生成された、前記出力画像の出力に使用する光源を制御する制御信号を、当該制御信号を表す画像である制御画像に変換する変換手段と、
前記出力画像を含む画像領域である第１の領域を含む画像の、前記第１の領域とは異なる第２の領域に、前記制御画像が組み込まれた合成画像を合成する合成手段と、
前記合成画像を映像信号に変換する映像信号生成手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する送信手段と、
して動作させる映像生成プログラムを記憶する記録媒体。
【請求項１０】
コンピュータを、
出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信する受信手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、
受信した前記映像信号が表す前記画像の前記第１の領域の画像を、変換された前記制御信号に従って前記光源を制御しながら、前記出力画像として出力する出力手段と、
して動作させる映像出力プログラムを記憶する記録媒体。
【発明の詳細な説明】
【技術分野】
【０００１】
本発明は、映像の生成や出力などを行う画像処理技術に関する。
【背景技術】
【０００２】
ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ、登録商標）の規格に従う通信インタフェースでは、映像及び音声だけではなく、他の装置を制御する制御情報を伝送することができる。【０００３】
特許文献１には、受信した制御情報に従って、映像が表示される場所及び解像度などを変更する表示装置が開示されている。特許文献１では、その制御情報は、ＨＤＭＩにおいて規格化されているＣＥＣ（Ｃｏｎｓｕｍｅｒ  Ｅｌｅｃｔｒｏｎｉｃｓ  Ｃｏｎｔｒｏｌ）のコマンドである。【０００４】
特許文献２には、伝送される映像信号の一部に、その映像信号によって伝送される映像を再生する再生装置とは異なる外部装置を制御する制御信号を埋め込むマルチメディアデータ再生システムが開示されている。係る制御信号は、コンバータによって抽出され、コンバータによって外部装置に供給される。特許文献２では、係る制御信号によって制御される上述の外部装置は、例えば、香りを供給するアミューズメント機器、部屋などの照明を行う照明装置、及び空調装置などである。【０００５】
特許文献３には、映像を投射する投射表示装置の光源として使用される、３つの異なる波長で発光するＬＥＤ（Ｌｉｇｈｔ  Ｅｍｉｔｔｉｎｇ  Ｄｉｏｄｅ）等を、制御信号によって制御する回路の例が開示されている。
【先行技術文献】
【特許文献】
【０００６】
【特許文献１】特開２０１１−０３００８１号公報
【特許文献２】特開２００９−１５９４４２号公報
【特許文献３】特表２００４−５３３１１１号公報
【発明の概要】
【発明が解決しようとする課題】
【０００７】
特許文献１によって開示されている技術は、映像が表示される場所及び解像度などを変更する技術である。特許文献２に記載されている技術は、アミューズメント機器や空調装置などの外部装置を制御する技術である。特許文献３の回路は、制御信号によって、画像データと、３つの異なる波長で発光するＬＥＤ等の光源の色出力とを同期させる。【０００８】
特許文献１乃至３の技術では、制御用のインタフェースを追加することなく、出力画像の出力に使用される光源の、その出力画像と同期のとれた制御を実施することはできない。【０００９】
本発明の目的の一つは、制御用のインタフェースを追加することなく、出力画像の出力に使用される光源の、その出力画像と同期のとれた制御を実施することができる映像生成装置などを提供することにある。
【課題を解決するための手段】
【００１０】
本発明の一態様に係る映像生成装置は、出力画像に基づいて生成された、前記出力画像の出力に使用する光源を制御する制御信号を、当該制御信号を表す画像である制御画像に変換する変換手段と、前記出力画像を含む画像領域である第１の領域を含む画像の、前記第１の領域とは異なる第２の領域に、前記制御画像が組み込まれた合成画像を合成する合成手段と、前記合成画像を映像信号に変換する映像信号生成手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する送信手段と、を備える。【００１１】
本発明の一態様に係る映像出力装置は、出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信する受信手段と、前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える。【００１２】
本発明の一態様に係る映像出力システムは、出力画像に基づいて生成された、前記出力画像の出力に使用する光源を制御する制御信号を、当該制御信号を表す画像である制御画像に変換する変換手段と、前記出力画像を含む画像領域である第１の領域を含む画像の、前記第１の領域とは異なる第２の領域に、前記制御画像が組み込まれた合成画像を合成する合成手段と、前記合成画像を映像信号に変換する映像信号生成手段と、前記映像信号を映像出力装置に送信する送信手段と、を備える映像生成装置と、前記映像信号を受信する受信手段と、前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える前記映像出力装置と、を含む。【００１３】
本発明の一態様に係る映像生成方法は、出力画像に基づいて生成された、前記出力画像の出力に使用する光源を制御する制御信号を、当該制御信号を表す画像である制御画像に変換し、前記出力画像を含む画像領域である第１の領域を含む画像の、前記第１の領域とは異なる第２の領域に、前記制御画像が組み込まれた合成画像を合成し、前記合成画像を映像信号に変換し、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する。【００１４】
本発明の一態様に係る映像出力方法は、出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信し、前記映像信号を受信するのに応じて、受信した当該映像信号によって表される前記合成画像の前記第２の領域を前記制御画像として抽出し、抽出された前記制御画像を制御信号に変換し、受信した前記映像信号が表す前記画像の前記第１の領域の画像を、変換された前記制御信号に従って前記光源を制御しながら、前記出力画像として出力する。【００１５】
本発明の一態様に係る映像出力システム制御方法は、映像生成装置に、出力画像に基づいて生成された、前記出力画像の出力に使用する光源を制御する制御信号を、当該制御信号を表す画像である制御画像に変換し、前記出力画像を含む画像領域である第１の領域を含む画像の、前記第１の領域とは異なる第２の領域に、前記制御画像が組み込まれた合成画像を合成し、前記合成画像を映像信号に変換し、映像出力装置に前記映像信号を送信する、動作を行わせ、前記映像出力装置に、前記映像信号を受信し、前記映像信号を受信するのに応じて、受信した当該合成画像の前記第２の領域から前記制御画像を抽出し、抽出された前記制御画像を制御信号に変換し、受信した前記映像信号が表す前記画像の前記第１の領域の画像を、変換された前記制御信号に従って前記光源を制御しながら、前記出力画像として出力する、動作を行わせる。【００１６】
本発明の一態様に係る映像生成プログラムは、コンピュータを、出力画像に基づいて生成された、前記出力画像の出力に使用する光源を制御する制御信号を、当該制御信号を表す画像である制御画像に変換する変換手段と、前記出力画像を含む画像領域である第１の領域を含む画像の、前記第１の領域とは異なる第２の領域に、前記制御画像が組み込まれた合成画像を合成する合成手段と、前記合成画像を映像信号に変換する映像信号生成手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する送信手段と、して動作させる。【００１７】
本発明の一態様に係る映像出力プログラムは、コンピュータを、出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信する受信手段と、前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、して動作させる。
【発明の効果】
【００１８】
制御用のインタフェースを追加することなく、制御用のインタフェースを追加することなく、出力画像の出力に使用される光源の、その出力画像と同期のとれた制御を実施することができる。
【図面の簡単な説明】
【００１９】
【図１】図１は、本発明の第１の実施形態の映像出力システムの構成を表すブロック図である。
【図２】図２は、本発明の第１の実施形態の映像出力装置と映像生成装置２００との接続を模式的に表す図である。
【図３】図３は、合成画像を模式的に表す図である。
【図４】図４は、本発明の第１の実施形態の映像生成装置の動作の例を表すフローチャートである。
【図５】図５は、本発明の第１、第２の実施形態の映像出力装置の動作の例を表すフローチャートである。
【図６】図６は、本発明の第１の実施形態の変形例の構成の例を模式的に表す図である。
【図７】図７は、本発明の第２の実施形態の映像出力システムの構成を表すブロック図である。
【図８】図８は、本発明の第２の実施形態の映像生成装置の動作の例を表すフローチャートである。
【図９】図９は、本発明の第３の実施形態の映像生成装置の構成を表すブロック図である。
【図１０】図１０は、本発明の各実施形態に係る、映像生成装置及び映像出力装置を実現することができる、コンピュータのハードウェア構成の一例を表す図である。
【図１１】図１１は、本発明の第１の実施形態の映像出力システム１０の実装例を模式的に表す図である。
【図１２】図１２は、専用の回路によって実装された、本発明の第１の実施形態の映像出力システムの構成の例を表すブロック図である。
【図１３】図１３は、専用の回路によって実装された、本発明の第２の実施形態の映像出力システムの構成の例を表すブロック図である。
【発明を実施するための形態】
【００２０】
次に、本発明の実施形態について、図面を参照して詳細に説明する。
【００２１】
＜第１の実施形態＞
図１は、本発明の第１の実施形態の映像出力システム１０の構成を表すブロック図である。
【００２２】
図１を参照すると、映像出力システム１０は、映像出力装置１００と映像生成装置２００とを含む。映像出力装置１００及び映像生成装置２００は、通信可能に接続されている。
【００２３】
図２は、本発明の第１の実施形態の映像出力装置１００と映像生成装置２００との接続を模式的に表す図である。図２に示すように、映像出力装置１００及び映像生成装置２００は、例えば、ＨＤＭＩケーブル４００によって接続されていてもよい。
【００２４】
図１に示すように、映像出力装置１００は、受信部１０１と、投射部１２０と、投射制御部１４０とを含む。投射制御部１４０は、映像信号変換部１０２と、制御信号抽出部１０３と、出力部１１０とを含む。出力部１１０は、表示部１１１と、制御部１１２とを含む。投射部１２０は、表示デバイス１２１と、光源１２２とを含む。
【００２５】
投射部１２０は、表示デバイス１２１に表示されている画像（出力画像）を、光源１２２が放射する光によって投射する。表示デバイス１２１に表示される画像は、出力部１１０の表示部１１１によって書き換えられる。表示部１１１が表示デバイス１２１に表示する画像を順次書き換えることによって、投射部１２０は、映像を投射することができる。光源１２２は、出力部１１０の制御部１１２によって制御される。
【００２６】
表示デバイス１２１は、例えば、ＬＣＯＳ（Ｌｉｑｕｉｄ  Ｃｒｙｓｔａｌ  Ｏｎ  Ｓｉｌｉｃｏｎ）等の、表示している映像を、光源１２２からの光を反射することによって投影することができる表示デバイスである。表示デバイス１２１は、表示している映像を光源１２２からの光を透過させることによって投影することができる表示デバイスであってもよい。上述のように、出力部１１０の表示部１１１は、表示デバイス１２１に表示される画像を書き換えることができる。
【００２７】
光源１２２は、例えば、レーザ光を生成して放射するレーザ生成デバイスである。光源１２２は、レーザ生成デバイス以外の光源であってもよい。光源１２２は、表示デバイス１２１の画素毎に、照射する光の強さ及び色を変化させることができる光源であってもよい。光源１２２は、例えば、画素毎に複数の波長のレーザ光を照射し、照射するレーザ光の強さを波長毎に変化させることによって、画素毎に照射する光の強さ及び色を変化させることができる。光源１２２は、上述のように、出力部１１０の制御部１１２は、光源１２２を制御することができる。制御部１１２は、例えば、光源１２２が、表示デバイス１２１に表示されている画像の画素毎に、照射する光の強さ及び色を変えるよう制御を行うことができる。制御部１１２が行う制御は、以上に限られない。投射部１２０は、例えば、映像のフレーム毎に、表示デバイス１２１と光源１２２とが協調して動作することによって、映像を投射することができる。制御部１１２が光源１２２に対して行う上述の制御は、光源１２２を表示デバイス１２１と協調させる制御であってもよい。
【００２８】
出力部１１０、表示部１１１、及び制御部１１２については、後で詳細に説明する。
【００２９】
映像生成装置２００は、投射映像生成部２１０と、映像信号生成部２０１と、送信部２０２とを含む。投射映像生成部２１０は、映像生成部２１１と、制御信号生成部２１２と、変換部２１３と、合成部２１４とを含む。
【００３０】
映像生成装置２００は、例えばスマートフォン等の、通信機能を備える携帯端末装置によって実現される。
【００３１】
映像生成部２１１は、映像を生成する。映像は、例えば、連続する複数の画像の画像データによって表される。映像生成部２１１は、連続する複数の画像の画像データを、順次生成すればよい。映像生成部２１１は、例えば、アプリケーションなどを実行する映像生成装置２００のディスプレイに表示されている画面のイメージから、映像を生成してもよい。映像生成部２１１は、例えば、エンコードされている映像データをデコードすることによって、映像を生成してもよい。映像生成部２１１は、映像生成装置２００の記憶部（図示されない）に格納されている映像データから、映像を生成してもよい。映像生成部２１１は、映像提供装置（図示されない）から映像データを受信し、受信した映像データから映像を生成してもよい。
【００３２】
映像生成装置２００及び映像出力装置１００は、映像生成部２１１が生成する映像に含まれる複数の画像の各々について独立に、以下で説明する動作を行うことができる。従って、以下では、映像生成部２１１が生成する映像に含まれる１つの画像に対する、映像生成装置２００及び映像出力装置１００の動作について説明する。
【００３３】
映像生成部２１１は、例えば映像の一部として、画像を生成する。映像生成部２１１が生成する画像を、出力画像と表記する。映像生成部２１１は、映像の一部として生成した出力画像を、制御信号生成部２１２及び合成部２１４に送信する。
【００３４】
制御信号生成部２１２は、映像生成部２１１によって生成された出力画像から、投射部１２０がその出力画像を投射する際に、制御部１１２による光源１２２にする制御を表す制御情報を生成する。制御情報は、制御部１１２が解釈することができる形式の制御指示データであればよい。
【００３５】
変換部２１３は、制御信号生成部２１２が生成した制御情報を、画像（すなわち制御画像）に変換する。制御情報を制御画像に変換する変換方法は、制御画像から元の制御情報を取り出すことができる変換方法であれば、いずれの変換方法であってもよい。変換部２１３は、例えば、制御情報を表すビット列を、合成部２１４によって合成される合成画像（後述される）の画素値を表すデータのビット長に区切ればよい。そして、変換部２１３は、制御情報を表すビット列を区切ることによって得られる複数のデータのまとまりを所定の規則に従って並べることによって、制御画像を生成すればよい。
【００３６】
合成部２１４は、映像生成部２１１から出力画像を受信する。合成部２１４は、制御信号生成部２１２から、制御画像を受信する。そして、合成部２１４は、出力画像が含まれる出力領域と、制御画像が含まれる制御領域とを含む画像である、合成画像を生成する。なお、映像生成部２１１が、出力領域に出力画像が含まれる画像を生成し、生成した画像を合成部２１４に送信してもよい。その場合、合成部２１４は、映像生成部２１１から受信した画像の制御領域に、変換部２１３から受信した制御画像を組み込むことによって、合成画像を生成すればよい。
【００３７】
図１に示す例では、データが送信される方向は、矢印の方向に限られない。後述される、図７、図９、図１２、及び、図１３に示す例でも、同様に、データが送信される方向は、矢印の方向に限られない。
【００３８】
図３は、出力領域及び制御領域を含む、上述の合成画像を模式的に表す図である。なお、本発明の各実施形態において、出力領域を、第１の領域とも表記する。制御領域を、第２の領域とも表記する。
【００３９】
図３（Ａ）に示す例では、画像５００の中央部に出力領域５１０が設定されている。画像５００の左上の部分に、制御領域５２０が設定されている。同様に、図３（Ｂ）に示す例では、合成画像５０１の中央部に出力領域５１０が設定されている。合成画像５０１の左上の部分に、制御領域５２１が設定されている。
【００４０】
画像５００の出力領域５１０には、出力画像が埋め込まれている。画像５００の制御領域５２０は使用されていない。合成部２１４は、例えば、画像５００の制御領域５２０に制御画像を埋め込むことによって、上述の合成画像を生成してもよい。図３（Ｂ）は、画像５００の制御領域５２０に制御画像を埋め込むことによって生成された合成画像５０１を模式的に表す。合成画像５０１における出力領域５１０の場所及び制御領域５２１の場所は、それぞれ、画像５００における出力領域５１０の場所及び制御領域５２０の場所と同じである。合成画像５０１の出力領域５１０は、画像５００の出力領域と同じである。合成画像５０１の制御領域５２１には、制御画像が埋め込まれている。
【００４１】
合成画像のサイズは、あらかじめ設定されていればよい。出力領域の場所及び制御領域の場所は、互いに重ならないように、あらかじめ設定されていればよい。その場合、合成部２１４、映像出力装置１００の映像信号変換部１０２（後述される）、及び、映像出力装置１００の制御信号抽出部１０３（後述される）は、あらかじめ設定されている、合成画像のサイズ、出力領域の場所及び制御領域の場所を保持していればよい。
【００４２】
合成部２１４が、出力画像及び制御画像に応じて、出力領域及び制御領域を適宜設定してもよい。その場合、合成部２１４は、出力領域の場所及び制御領域の場所を表すデータ値を、例えば、映像信号生成部２０１及び送信部２０２を介して、映像出力装置１００に送信すればよい。合成部２１４は、出力画像及び制御画像に応じて、合成画像のサイズを適宜設定してもよい。その場合、合成部２１４は、合成画像のサイズを表すデータ値を、例えば、映像信号生成部２０１及び送信部２０２を介して、映像出力装置１００に送信すればよい。映像生成装置２００と映像出力装置１００がＨＤＭＩケーブルによって接続されている場合、ＣＥＣの拡張コマンドによって、出力領域の場所、制御領域の場所、及び合成画像のサイズのそれぞれを、映像出力装置１００に通知することができる。例えば、映像信号生成部２０１が、出力領域の場所を通知する拡張コマンド、制御領域の場所を通知する拡張コマンド、及び、合成画像のサイズを通知する拡張コマンドを生成すればよい。そして、送信部２０２が、それらの拡張コマンドを、映像出力装置１００に送信すればよい。その場合、映像出力装置１００の映像信号変換部１０２及び制御信号抽出部１０３は、それらの拡張コマンドを解釈できるよう設計されていればよい。
【００４３】
映像信号生成部２０１は、合成部２１４から、合成画像を受信する。映像信号生成部２０１は、受信した合成画像を、送信部２０２が映像出力装置１００に送信できる形式の信号（以下では、映像信号と表記する）に変換する。映像生成装置２００と映像出力装置１００とがＨＤＭＩケーブルによって接続されている場合、映像信号生成部２０１は、合成画像から、その合成画像を表す、ＨＤＭＩの規格に従った映像信号（すなわちＨＤＭＩ信号）を生成する。
【００４４】
送信部２０２は、映像信号生成部２０１が生成した映像信号を、映像出力装置１００の受信部１０１に送信する。
【００４５】
受信部１０１は、映像生成装置２００の送信部２０２から、前述の合成画像を表す映像信号を受信する。
【００４６】
映像信号変換部１０２は、受信部１０１が受信した映像信号から、その映像信号によって表される合成画像の出力領域を、出力画像として抽出する。映像信号変換部１０２は、受信部１０１が受信した映像信号から、その映像信号によって表される合成画像内の制御領域を、制御画像として抽出する。映像信号変換部１０２は、受信部１０１が受信した映像信号を合成画像に変換することによって、合成画像を再構成してもよい。そして、映像信号変換部１０２は、再構成した合成画像の出力領域を、出力画像として取り出してもよい。映像信号変換部１０２は、再構成した合成画像の制御領域を、制御画像として取り出してもよい。上述のように、合成画像のサイズはあらかじめ決められていてもよい。映像信号変換部１０２は、合成画像のサイズを、受信部１０１を介して、映像生成装置２００から受信してもよい。また、合成画像における、出力領域の場所及び制御領域の場所は、あらかじめ定められていてもよい。映像信号変換部１０２は、受信部１０１を介して、出力領域の場所及び制御領域の場所を、映像生成装置２００から受信してもよい。
【００４７】
映像信号変換部１０２は、取り出した出力画像を表す信号を、表示部１１１に送信する。映像信号変換部１０２は、取り出した制御画像を表す信号を、制御信号抽出部１０３に送信する。
【００４８】
制御信号抽出部１０３は、映像信号変換部１０２から受信した制御画像を表す信号を、光源１２２を制御する制御信号に変換する。制御信号抽出部１０３は、制御画像を表す信号を変換することによって得られる制御信号を、制御部１１２に送信する。
【００４９】
表示部１１１は、映像信号変換部１０２から受信した出力画像を表示デバイス１２１に表示する。表示部１１１は、出力画像を表す信号を、例えばＬＣＯＳである表示デバイス１２１用の、出力画像を表示する制御信号に変換し、出力画像を表示する制御信号を、表示デバイス１２１に送信することによって、出力画像を表示デバイス１２１に表示すればよい。
【００５０】
制御部１１２は、制御信号抽出部１０３から受信した制御信号に従って、光源１２２が光を表示デバイス１２１に照射するように光源１２２を制御する。制御部１１２が受信する制御信号は、光源１２２が解釈できる制御信号であってもよい。その場合、制御部１１２は、受信した制御信号を、そのまま光源１２２に送信すればよい。光源１２２は、受信した制御信号に従って、例えばレーザ光等の光を生成して、生成した光を表示デバイス１２１に照射する。
【００５１】
前述のように、出力画像は、映像に含まれる１枚のフレームである。そして、制御信号は、出力画像と共に合成画像として、映像生成装置２００から映像出力装置１００に送信される。映像出力装置１００は、フレーム毎に、出力画像とその出力画像を出力する際に光源１２２に対して行う制御を表す制御信号とを受信する。従って、表示デバイス１２１と光源１２２とは、表示デバイス１２１が表示部１１１から受信した制御信号と、光源１２２が制御部１１２から受信した制御信号とに従って、協調して、出力画像を外部に投射することができる。
【００５２】
次に、本実施形態の映像生成装置２００の動作について、図面を参照して詳細に説明する。
【００５３】
図４は、本実施形態の映像生成装置２００の動作の例を表すフローチャートである。
【００５４】
図４を参照すると、まず、映像生成部２１１が、例えば映像の１フレームである、出力画像を生成する（ステップＳ１０１）。
【００５５】
次に、制御信号生成部２１２が、映像生成部２１１が生成した出力画像に基づいて、出力画像を出力するのに使用される光源１２２を制御する制御信号を生成する（ステップＳ１０２）。制御信号生成部２１２は、投射部１２０に応じて定まる方法に従って、光源１２２を制御する制御信号を生成すればよい。
【００５６】
次に、変換部２１３が、制御信号生成部２１２によって生成された制御信号を、その制御信号を表す画像である制御画像に変換する（ステップＳ１０３）。制御画像は、その制御画像から制御信号を抽出できるように変換された画像であればよい。すなわち、制御信号と制御画像の間の変換は、逆変換が可能な変換であればよい。
【００５７】
次に、合成部２１４は、出力領域に出力画像を含み、制御領域に制御画像を含む、合成画像を生成する（ステップＳ１０４）。合成部２１４は、出力領域が出力画像であり、制御領域が制御画像である合成画像を生成すればよい。
【００５８】
次に、映像信号生成部２０１が、合成画像を、送信部２０２が映像出力装置１００に送信できる形式の映像信号に変換する（ステップＳ１０５）。上述のように、映像生成装置２００と映像出力装置１００とが、ＨＤＭＩケーブルによって接続されている場合、映像信号生成部２０１は、合成画像をＨＤＭＩ信号に変換すればよい。
【００５９】
次に、送信部２０２が、変換された（すなわち、合成画像を変換することによって得られた）映像信号を、映像出力装置１００に送信する（ステップＳ１０６）。
【００６０】
映像生成装置２００は、映像の各フレームに対して、以上で説明した図４に示す動作を繰り返せばよい。
【００６１】
次に、本実施形態の映像出力装置１００の動作について、図面を参照して詳細に説明する。
【００６２】
図５は、本実施形態の映像出力装置１００の動作の例を表すフローチャートである。
【００６３】
図５を参照すると、まず、受信部１０１が、映像生成装置２００から映像信号を受信する（ステップＳ１１１）。映像生成装置２００と映像出力装置１００とが、ＨＤＭＩケーブルによって接続されている場合、受信部１０１が受信する信号はＨＤＭＩ信号である。
【００６４】
次に、映像信号変換部１０２が、受信部１０１が受信した映像信号から、制御画像を抽出する（ステップＳ１１２）。前述のように、映像信号変換部１０２は、映像信号から、その映像信号が表す合成画像の制御領域の画像を、制御画像として抽出すればよい。そのために、映像信号変換部１０２は、まず、映像信号を画像に変換することによって、映像信号から合成画像を生成すればよい。そして、映像信号変換部１０２は、その合成画像の制御領域の画像を、制御画像として取り出せばよい。さらに、映像信号変換部１０２は、その合成画像の出力領域の画像を、出力画像として取り出せばよい。
【００６５】
次に、制御信号抽出部１０３が、抽出した制御画像を制御信号に変換することによって（ステップＳ１１３）、制御信号を抽出する。
【００６６】
次に、表示部１１１が、受信部１０１が受信した映像信号が表す画像の出力領域の画像である出力画像を、表示デバイス１２１に表示させる（ステップＳ１１４）。表示部１１１は、映像信号変換部１０２から出力画像を受信し、受信した出力画像を、表示デバイス１２１に表示させる。
【００６７】
また、制御部１１２は、制御信号抽出部１０３によって抽出された制御信号に従って、光源１２２を制御する（ステップＳ１１５）。光源１２２は、その制御信号による制御に従ってレーザ光を放射することによって、表示デバイス１２１に表示されている画像（再生画像）を、映像出力装置１００の外部に投射する。
【００６８】
映像出力装置１００は、以上で説明した図５の動作を、映像生成装置２００から映像信号として受信する画像毎に繰り返せばよい。なお、映像出力装置１００は、ステップＳ１１２及びＳ１１３の動作と、ステップＳ１１４の動作とを、逆の順番で行ってもよい。
【００６９】
以上で説明した本実施形態には、制御用のインタフェースを追加することなく、出力画像の出力に使用される光源１２２の、その出力画像と同期のとれた制御を実施することができるという効果がある。
【００７０】
その理由は、合成部２１４が、出力される画像である出力画像と、光源１２２に対する制御を表す制御信号が変換された制御画像とを、それぞれ領域として含む合成画像を合成するからである。そして、その合成画像が送られた映像出力装置１００の出力部１１０の表示部１１１が、合成画像に領域として含まれる出力画像を、表示デバイス１２１に表示する。また、その合成画像が送られた映像出力装置１００の出力部１１０の制御部１１２が、その合成画像に含まれる制御画像を変換することによって得られる制御信号に従って、光源１２２を制御する。以上のように、制御信号が画像の一部として伝送されるので、制御用の通信インタフェースを追加することなく、出力画像の出力に使用される光源１２２の、その出力画像と同期のとれた制御を実施することができる。
【００７１】
また、本実施形態には、装置の軽量化及び低価格化が可能になるという効果もある。
【００７２】
その理由は、上述のように制御信号が合成画像の一部として送信されるので、光源１２２を制御する制御信号を送信するための、専用インタフェースが必要ないからである。
【００７３】
次に、本実施形態の変形例について、図面を参照して詳細に説明する。
【００７４】
図６は、本実施形態の変形例の構成の例を模式的に表す図である。図６に示すように、複数の映像出力装置１００が存在していてもよい。また、複数の映像生成装置２００が存在していてもよい。図６に示す例では、複数の映像出力装置１００と、複数の映像生成装置２００とが、通信ネットワーク４０１によって、通信可能に接続されている。
【００７５】
各映像生成装置２００は、複数の映像出力装置１００に、例えば同時に、映像信号を送信してもよい。各映像出力装置１００は、複数の映像生成装置２００から選択された映像生成装置２００から、映像信号を受信すればよい。
【００７６】
＜第１の実施形態の実装例＞
次に、本発明の第１の実施形態の映像出力システム１０の実装例について、図面を参照して詳細に説明する。
【００７７】
図１１は、本発明の第１の実施形態の映像出力システム１０の実装例を模式的に表す図である。図１１に示す例では、映像生成装置２００は、スマートフォンである。映像生成装置２００及び映像出力装置１００は、ＨＤＭＩケーブルを介して互いに接続されている。
【００７８】
映像出力装置１００では、ＨＤＭＩ信号受信部１３０が、上述の受信部１０１として動作する。ＬＣＯＳ１６０が表示デバイス１２１として動作する。また、レーザ光生成部１５０が光源１２２として動作する。映像生成装置２００では、ＨＤＭＩ信号生成部２３０が、上述の映像信号生成部２０１として動作する。ＨＤＭＩ信号送信部２４０が、送信部２０２として動作する。
【００７９】
ＨＤＭＩ信号生成部２３０は、投射映像生成部２１０が生成した、出力画像及び制御画像を含む合成画像を、ＨＤＭＩ信号に変換する。ＨＤＭＩ信号送信部２４０が、映像生成装置２００と映像出力装置とを接続するＨＤＭＩケーブルを介して、そのＨＤＭＩ信号を映像出力装置のＨＤＭＩ信号受信部１３０に送信する。
【００８０】
ＨＤＭＩ信号受信部１３０は、合成画像が変換されたＨＤＭＩ信号を受信する。投射制御部１４０は、ＨＤＭＩ信号受信部１３０が受信したＨＤＭＩ信号から、出力画像に相当する情報を抽出する。投射制御部１４０は、抽出した、出力画像に相当する情報を、ＬＣＯＳ１６０用の映像信号（すなわち、ＬＣＯＳ１６０に出力画像を表示させる信号）に変換する。投射制御部１４０は、そのＬＣＯＳ１６０用の映像信号を、ＬＣＯＳ１６０に送信する。ＬＣＯＳ１６０は出力画像を表示する。
【００８１】
投射制御部１４０は、ＨＤＭＩ信号受信部１３０が受信したＨＤＭＩ信号から、さらに、制御画像に相当する情報を抽出する。投射制御部１４０は、抽出した、制御画像に相当する情報を、レーザ光生成部１５０を制御する制御信号に変換する。投射制御部１４０は、そのレーザ光生成部１５０を制御する制御信号を、レーザ光生成部１５０に送信する。レーザ光生成部１５０は、受信した制御信号に従ってレーザ光を生成し、生成したレーザ光をＬＣＯＳ１６０に照射する。
【００８２】
レーザ光生成部１５０及びＬＣＯＳ１６０は、レーザ光生成部１５０がレーザ光をＬＣＯＳ１６０に照射することによって生成された光線である投射光１７０を、外部（例えばスクリーン）に投射する。レーザ光生成部１５０及びＬＣＯＳ１６０は、例えばスクリーンに投射光１７０を投射することによって、そのスクリーンの投射光１７０が投射された部分において、映像を表示する。
【００８３】
＜第２の実施形態＞
次に、本発明の第２の実施形態について、図面を参照して詳細に説明する。
【００８４】
図７は、本実施形態の映像出力システム１０Ａの構成を表すブロック図である。
【００８５】
図７を参照すると、本実施形態の映像出力システム１０Ａは、映像出力装置１００と、映像生成装置２００Ａと、映像供給装置３００とを含む。以下では、第１の実施形態の映像出力システム１０に対する、本実施形態の映像出力システム１０Ａの相違点について主に説明する。映像出力システム１０Ａの、第１の実施形態の映像出力システム１０の構成要素と同じ構成要素には、同じ符号を付与し、その説明を省略する。
【００８６】
本実施形態の映像出力装置１００は、第１の実施形態の映像出力装置１００と同じである。
【００８７】
本実施形態の映像生成装置２００Ａは、映像信号生成部２０１と、送信部２０２とを含む。さらに、映像生成装置２００Ａは、投射映像生成部２１０の代わりに投射映像生成部２１０Ａを含む。投射映像生成部２１０Ａは、変換部２１３と、合成部２１４とを含む。投射映像生成部２１０Ａは、さらに、映像生成部２１１と制御信号生成部２１２との代わりに、映像受信部２１５と、制御信号受信部２１６とを含む。
【００８８】
映像供給装置３００は、映像生成部２１１と、制御信号生成部２１２とを含む。
【００８９】
本実施形態の映像生成部２１１は、生成した、例えば映像の１フレームである画像を、映像生成装置２００Ａの映像受信部２１５に送信する。また、本実施形態の制御信号生成部２１２は、生成した制御信号を、映像生成装置２００Ａの制御信号受信部２１６に送信する。以上を除き、本実施形態の映像生成部２１１及び制御信号生成部２１２は、第１の実施形態の映像生成部２１１及び制御信号生成部２１２と同じである。
【００９０】
映像受信部２１５は、映像供給装置３００の映像生成部２１１から、例えば映像の１フレームである画像を受信する。映像受信部２１５は、受信した画像を合成部２１４に送信する。
【００９１】
制御信号受信部２１６は、映像供給装置３００の制御信号生成部２１２から、生成された制御信号を受信する。制御信号受信部２１６は、受信した制御信号を、変換部２１３に送信する。
【００９２】
合成部２１４は、映像受信部２１５から画像を受信する。変換部２１３は制御信号受信部２１６から、制御信号を受信する。本実施形態の合成部２１４及び変換部２１３は、以上を除き、第１の実施形態の合成部２１４及び変換部２１３と同じである。
【００９３】
本実施形態の映像供給装置３００の動作について、図面を参照して詳細に説明する。本実施形態の映像供給装置３００は、図４に示すステップＳ１０１及びステップＳ１０２の動作を行う。そして、映像供給装置３００の映像生成部２１１は、生成した画像を、映像生成装置２００Ａの映像受信部２１５に送信する。さらに、映像供給装置３００の制御信号生成部２１２は、生成した制御信号を、映像生成装置２００Ａの制御信号受信部２１６に送信する。映像供給装置３００は、映像に含まれるフレーム毎に、以上の動作を行う。
【００９４】
次に、本実施形態の映像生成装置２００Ａの動作について、図面を参照して詳細に説明する。
【００９５】
図８は、本実施形態の映像生成装置２００Ａの動作の例を表すフローチャートである。
【００９６】
図８を参照すると、まず、映像受信部２１５は、映像供給装置３００の制御信号生成部２１２から、生成された制御信号を受信する（ステップＳ２０１）。
【００９７】
次に、変換部２１３は制御信号受信部２１６から、出力画像を出力するのに使用する光源１２２を制御する、制御信号を受信する（ステップＳ２０２）。
【００９８】
図８の、ステップＳ１０３以降の動作は、図４に示す、第１の実施形態の映像生成装置２００のステップＳ１０３以降の動作と同じである。
【００９９】
本実施形態の映像出力装置１００の動作は、図５に示す、第１の実施形態の映像出力装置１００の動作と同じである。
【０１００】
以上で説明した本実施形態には、第１の実施形態と同じ効果がある。その理由は、第１の実施形態の効果が生じる理由と同じである。
【０１０１】
＜第３の実施形態＞
次に、本発明の第３の実施形態について、図面を参照して詳細に説明する。本実施形態は、本発明の各実施形態の最小構成を表す。
【０１０２】
図９は、本実施形態の映像生成装置２００Ｂの構成を表すブロック図である。
【０１０３】
図９を参照すると、本実施形態の映像生成装置２００Ｂは、変換部２１３と、合成部２１４と、映像信号生成部２０１と、送信部２０２と、を備える。
【０１０４】
変換部２１３は、出力画像に基づいて生成された、前記出力画像の出力に使用する光源を制御する制御信号を、当該制御信号を表す画像である制御画像に変換する。合成部２１４は、前記出力画像を含む画像領域である第１の領域を含む画像の、前記第１の領域とは異なる第２の領域に、前記制御画像が組み込まれた合成画像を合成する。映像信号生成部２０１は、前記合成画像を映像信号に変換する。送信部２０２は、映像出力装置１００Ｂに前記映像信号を送信する。
【０１０５】
映像出力装置１００Ｂは、制御信号抽出部１０３と、出力部１１０Ｂと、を備える。
【０１０６】
制御信号抽出部１０３は、前記映像信号を受信するのに応じて、受信した当該映像信号によって表される前記合成画像の前記第２の領域を前記制御画像として抽出し、抽出された前記制御画像を制御信号に変換する。出力部１１０Ｂは、受信した前記映像信号が表す前記画像の前記第１の領域の画像を、変換された前記制御信号に従って前記光源を制御しながら、前記出力画像として出力する。
【０１０７】
＜他の実施形態＞
映像出力装置１００、映像生成装置２００、映像生成装置２００Ａ、及び映像生成装置２００Ｂは、それぞれ、回路などのハードウェアによって実現することができる。回路は、例えば、専用の回路である。回路は、例えば、コンピュータに含まれるメモリとプロセッサとであってもよい。回路は、１つのチップとして実装されていてもよい。回路は、複数のチップとして実装されていてもよい。映像出力装置１００、映像生成装置２００、映像生成装置２００Ａ、及び映像生成装置２００Ｂは、それぞれ、１つの装置として実装されていてもよい。その装置は、上述の回路を含んでいればよい。映像出力装置１００、映像生成装置２００、映像生成装置２００Ａ、及び映像生成装置２００Ｂは、それぞれ、複数の装置として実装されていてもよい。その複数の装置は、それぞれ、上述の回路の少なくとも１つを含んでいればよい。
【０１０８】
映像出力装置１００、映像生成装置２００、映像生成装置２００Ａ、及び映像生成装置２００Ｂは、それぞれ、プロセッサ及びそのプロセッサを制御するプログラム、専用のハードウェア、又は、プロセッサ及びそのプロセッサを制御するプログラムと専用のハードウェアの組合せにより実現することができる。
【０１０９】
図１０は、映像出力装置１００、映像生成装置２００、映像生成装置２００Ａ、及び映像生成装置２００Ｂを実現することができる、コンピュータ１０００のハードウェア構成の一例を表す図である。図１０を参照すると、コンピュータ１０００は、プロセッサ１００１と、メモリ１００２と、記憶装置１００３と、Ｉ／Ｏ（Ｉｎｐｕｔ／Ｏｕｔｐｕｔ）インタフェース１００４とを含む。また、コンピュータ１０００は、記録媒体１００５にアクセスすることができる。メモリ１００２と記憶装置１００３は、例えば、ＲＡＭ（Ｒａｎｄｏｍ  Ａｃｃｅｓｓ  Ｍｅｍｏｒｙ）、ハードディスクなどの記憶装置である。記録媒体１００５は、例えば、ＲＡＭ、ハードディスクなどの記憶装置、ＲＯＭ（Ｒｅａｄ  Ｏｎｌｙ  Ｍｅｍｏｒｙ）、可搬記録媒体である。記憶装置１００３が記録媒体１００５であってもよい。プロセッサ１００１は、メモリ１００２と、記憶装置１００３に対して、データやプログラムの読み出しと書き込みを行うことができる。プロセッサ１００１は、Ｉ／Ｏインタフェース１００４を介して、例えば、ＨＤＭＩケーブルによって接続されている装置にアクセスすることができる。プロセッサ１００１は、記録媒体１００５にアクセスすることができる。記録媒体１００５には、コンピュータ１０００を、映像出力装置１００、映像生成装置２００、映像生成装置２００Ａ、又は映像生成装置２００Ｂとして動作させるプログラムが格納されている。
【０１１０】
プロセッサ１００１は、記録媒体１００５に格納されている、コンピュータ１０００を、映像出力装置１００、映像生成装置２００、映像生成装置２００Ａ、又は映像生成装置２００Ｂとして動作させるプログラムを、メモリ１００２にロードする。そして、プロセッサ１００１が、メモリ１００２にロードされたプログラムを実行することにより、コンピュータ１０００は、映像出力装置１００、映像生成装置２００、映像生成装置２００Ａ、又は映像生成装置２００Ｂとして動作する。
【０１１１】
受信部１０１、映像信号変換部１０２、制御信号抽出部１０３、出力部１１０、表示部１１１、制御部１１２、及び、投射制御部１４０は、例えば、メモリ１００２にロードされたプログラムを実行するプロセッサ１００１により実現することができる。映像信号生成部２０１、送信部２０２、投射映像生成部２１０、及び、投射映像生成部２１０Ａは、例えば、メモリ１００２にロードされたプログラムを実行するプロセッサ１００１により実現することができる。映像生成部２１１、制御信号生成部２１２、変換部２１３、合成部２１４、映像受信部２１５、及び、制御信号受信部２１６は、例えば、メモリ１００２にロードされたプログラムを実行するプロセッサ１００１により実現することができる。受信部１０１、映像信号変換部１０２、制御信号抽出部１０３、出力部１１０、表示部１１１、制御部１１２、投射部１２０、表示デバイス１２１、光源１２２、投射制御部１４０の一部又は全部を、専用の回路によって実現することもできる。映像信号生成部２０１、送信部２０２、投射映像生成部２１０、映像生成部２１１、制御信号生成部２１２、変換部２１３、合成部２１４、映像受信部２１５、及び制御信号受信部２１６の一部又は全部を、専用の回路によって実現することもできる。
【０１１２】
図１２は、専用の回路によって実現された映像出力装置１００及び映像生成装置２００を含む、本発明の第１の実施形態に係る映像出力システム１０の構成の例を表すブロック図である。
【０１１３】
図１２を参照すると、映像出力装置１００は、受信回路１１０１と、投射制御回路１１４０と、投射装置１１２０とを含んで実装される。投射制御回路１１４０は、映像信号変換回路１１０２と、制御信号抽出回路１１０３と、出力回路１１１０とを含む。出力回路１１１０は、表示回路１１１１と制御回路１１１２とを含む。投射装置１１２０は、表示デバイス１２１と光源１２２とを含む。
【０１１４】
受信回路１１０１は、受信部１０１として動作する。投射制御回路１１４０は、投射制御部１４０として動作する。投射装置１１２０は、投射部１２０として動作する。映像信号変換回路１１０２は、映像信号変換部１０２として動作する。制御信号抽出回路１１０３は、制御信号抽出部１０３として動作する。出力回路１１１０は、出力部１１０として動作する。表示回路１１１１は、表示部１１１として動作する。制御回路１１１２は、制御部１１２として動作する。
【０１１５】
映像生成装置２００は、映像信号生成回路１２０１と、送信回路１２０２と、投射映像生成回路１２１０とを含んで実装される。投射映像生成回路１２１０は、映像生成回路１２１１と、制御信号生成回路１２１２と、変換回路１２１３と、合成回路１２１４とを含む。
【０１１６】
映像信号生成回路１２０１は、映像信号生成部２０１として動作する。送信回路１２０２は、送信部２０２として動作する。投射映像生成回路１２１０は、投射映像生成部２１０として動作する。映像生成回路１２１１は、映像生成部２１１として動作する。変換回路１２１３は、変換部２１３として動作する。合成回路１２１４は、合成部２１４として動作する。
【０１１７】
図１３は、専用の回路によって実現された映像出力装置１００、映像生成装置２００Ａ及び映像供給装置３００を含む、本発明の第２の実施形態に係る映像出力システム１０Ａの構成の例を表すブロック図である。本実施形態の映像出力装置１００は、第１の実施形態の映像出力装置１００と同じである。
【０１１８】
映像生成装置２００Ａは、映像信号生成回路１２０１と、送信回路１２０２と、投射映像生成回路１２１０Ａとを含んで実装される。投射映像生成回路１２１０Ａは、変換回路１２１３と、合成回路１２１４と、映像受信回路１２１５と、制御信号受信回路１２１６とを含んで実装される。映像信号生成回路１２０１と、送信回路１２０２と、変換回路１２１３と、合成回路１２１４と、は、それぞれ、図１２に示す同じ名称及び符号が付与されている回路と同じである。映像受信回路１２１５は、映像受信部２１５として動作する。制御信号受信回路１２１６は、制御信号受信部２１６として動作する。
【０１１９】
映像供給装置３００は、映像生成回路１２１１と、制御信号生成回路１２１２とを含んで実装される。映像生成回路１２１１と、制御信号生成回路１２１２と、は、それぞれ、図１２に示す同じ名称及び符号が付与されている回路と同じである。
【０１２０】
以上、実施形態を参照して本発明を説明したが、本発明は上記実施形態に限定されるものではない。本発明の構成や詳細には、本発明のスコープ内で当業者が理解し得る様々な変更をすることができる。
【０１２１】
この出願は、２０１４年１２月１０日に出願された日本出願特願２０１４−２４９９８１を基礎とする優先権を主張し、その開示の全てをここに取り込む。
【符号の説明】
【０１２２】
１０    映像出力システム
１０Ａ    映像出力システム
１００    映像出力装置
１０１    受信部
１０２    映像信号変換部
１０３    制御信号抽出部
１１０    出力部
１１１    表示部
１１２    制御部
１２０    投射部
１２１    表示デバイス
１２２    光源
１３０    ＨＤＭＩ信号受信部
１４０    投射制御部
１５０    レーザ光生成部
１６０    ＬＣＯＳ
１７０    投射光
２００    映像生成装置
２００Ａ    映像生成装置
２００Ｂ    映像生成装置
２０１    映像信号生成部
２０２    送信部
２１０    投射映像生成部
２１０Ａ    投射映像生成部
２１１    映像生成部
２１２    制御信号生成部
２１３    変換部
２１４    合成部
２１５    映像受信部
２１６    制御信号受信部
２３０    ＨＤＭＩ信号生成部
２４０    ＨＤＭＩ信号送信部
３００    映像供給装置
５００    画像
５０１    合成画像
５１０    出力領域
５２０    制御領域
５２１    制御領域
１０００    コンピュータ
１００１    プロセッサ
１００２    メモリ
１００３    記憶装置
１００４    Ｉ／Ｏインタフェース
１００５    記録媒体
１１０１    受信回路
１１０２    映像信号変換回路
１１０３    制御信号抽出回路
１１１０    出力回路
１１１１    表示回路
１１１２    制御回路
１１２０    投射装置
１１４０    投射制御回路
１２０１    映像信号生成回路
１２０２    送信回路
１２１０    投射映像生成回路
１２１０Ａ    投射映像生成回路
１２１１    映像生成回路
１２１２    制御信号生成回路
１２１３    変換回路
１２１４    合成回路
１２１５    映像受信回路
１２１６    制御信号受信回路
【図１】
2016092835.tif 000003
【図２】
2016092835.tif 000004
【図３】
2016092835.tif 000005
【図４】
2016092835.tif 000006
【図５】
2016092835.tif 000007
【図６】
2016092835.tif 000008
【図７】
2016092835.tif 000009
【図８】
2016092835.tif 000010
【図９】
2016092835.tif 000011
【図１０】
2016092835.tif 000012
【図１１】
2016092835.tif 000013
【図１２】
2016092835.tif 000014
【図１３】
2016092835.tif 000015
【手続補正書】
【提出日】平成29年5月23日(2017.5.23)
【手続補正１】
【補正対象書類名】特許請求の範囲
【補正対象項目名】全文
【補正方法】変更
【補正の内容】
【特許請求の範囲】
【請求項１】
出力画像に基づいて生成された、前記出力画像の出力に使用する光源を制御する制御信号を、当該制御信号を表す画像である制御画像に変換する変換手段と、
前記出力画像を含む画像領域である第１の領域を含む画像の、前記第１の領域とは異なる第２の領域に、前記制御画像が組み込まれた合成画像を合成する合成手段と、
前記合成画像を映像信号に変換する映像信号生成手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する送信手段と、
を備える映像生成装置。
【請求項２】
前記出力画像に基づいて、前記制御信号を生成する制御信号生成手段
をさらに備える請求項１に記載の映像生成装置。
【請求項３】
前記出力手段は、受信した前記映像信号が表す前記画像の前記第１の領域の画像を、前記出力画像として表示デバイスに表示し、前記表示デバイスに表示されている前記出力画像を投射する光源を前記制御信号に従って制御することによって、前記出力画像を投射する
請求項１又は２に記載の映像生成装置。
【請求項４】
出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信する受信手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、
受信した前記映像信号が表す前記画像の前記第１の領域の画像を、変換された前記制御信号に従って前記光源を制御しながら、前記出力画像として出力する出力手段と、
を備える映像出力装置。
【請求項５】
出力画像に基づいて生成された、前記出力画像の出力に使用する光源を制御する制御信号を、当該制御信号を表す画像である制御画像に変換する変換手段と、
前記出力画像を含む画像領域である第１の領域を含む画像の、前記第１の領域とは異なる第２の領域に、前記制御画像が組み込まれた合成画像を合成する合成手段と、
前記合成画像を映像信号に変換する映像信号生成手段と、
前記映像信号を映像出力装置に送信する送信手段と、
を備える映像生成装置と、
前記映像信号を受信する受信手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、
受信した前記映像信号が表す前記画像の前記第１の領域の画像を、変換された前記制御信号に従って前記光源を制御しながら、前記出力画像として出力する出力手段と、
を備える前記映像出力装置と、
を含む映像出力システム。
【請求項６】
出力画像に基づいて生成された、前記出力画像の出力に使用する光源を制御する制御信号を、当該制御信号を表す画像である制御画像に変換し、
前記出力画像を含む画像領域である第１の領域を含む画像の、前記第１の領域とは異なる第２の領域に、前記制御画像が組み込まれた合成画像を合成し、
前記合成画像を映像信号に変換し、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する、
映像生成方法。
【請求項７】
出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信し、
前記映像信号を受信するのに応じて、受信した当該映像信号によって表される前記合成画像の前記第２の領域を前記制御画像として抽出し、抽出された前記制御画像を制御信号に変換し、
受信した前記映像信号が表す前記画像の前記第１の領域の画像を、変換された前記制御信号に従って前記光源を制御しながら、前記出力画像として出力する、
映像出力方法。
【請求項８】
映像生成装置に、
出力画像に基づいて生成された、前記出力画像の出力に使用する光源を制御する制御信号を、当該制御信号を表す画像である制御画像に変換し、
前記出力画像を含む画像領域である第１の領域を含む画像の、前記第１の領域とは異なる第２の領域に、前記制御画像が組み込まれた合成画像を合成し、
前記合成画像を映像信号に変換し、
映像出力装置に前記映像信号を送信する、
動作を行わせ、
前記映像出力装置に、
前記映像信号を受信し、
前記映像信号を受信するのに応じて、受信した当該合成画像の前記第２の領域から前記制御画像を抽出し、抽出された前記制御画像を制御信号に変換し、
受信した前記映像信号が表す前記画像の前記第１の領域の画像を、変換された前記制御信号に従って前記光源を制御しながら、前記出力画像として出力する、
動作を行わせる、
映像出力システム制御方法。
【請求項９】
コンピュータを、
出力画像に基づいて生成された、前記出力画像の出力に使用する光源を制御する制御信号を、当該制御信号を表す画像である制御画像に変換する変換手段と、
前記出力画像を含む画像領域である第１の領域を含む画像の、前記第１の領域とは異なる第２の領域に、前記制御画像が組み込まれた合成画像を合成する合成手段と、
前記合成画像を映像信号に変換する映像信号生成手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、受信した前記映像信号が表す前記画像の前記第１の領域の画像を、変換された前記制御信号に従って前記光源を制御しながら、前記出力画像として出力する出力手段と、を備える映像出力装置
に前記映像信号を送信する送信手段と、
して動作させる映像生成プログラム。
【請求項１０】
コンピュータを、
出力画像に基づいて生成された、前記出力画像の出力に使用する光源を制御する制御信号が変換された、当該制御信号を表す画像である制御画像が、前記出力画像を含む画像領域である第１の領域を含む画像の、前記第１の領域とは異なる第２の領域に組み込まれた、合成画像が変換された信号である映像信号を受信する受信手段と、
前記映像信号を受信するのに応じて、受信した当該映像信号によって表される前記合成画像の前記第２の領域を前記制御画像として抽出し、抽出された前記制御画像を制御信号に変換する制御信号抽出手段と、
受信した前記映像信号が表す前記画像の前記第１の領域の画像を、変換された前記制御信号に従って前記光源を制御しながら、前記出力画像として出力する出力手段と、
して動作させる映像出力プログラム。
【国際調査報告】
2016092835.tif 000016
2016092835.tif 000017